(57)【要約】【課題】通信の自由度が高くて通信の操作性が良好な小型で金属体に実装できる無線タグを提供する。【解決手段】誘電体１に形成された上面アンテナ部２、下面アンテナ部３及び側部アンテナ部４などによって１つのタグアンテナＡＮを構成して、タグアンテナＡＮを立体的に折り曲げたパターンとすることで、無線タグＴ０の小型化を図る。また、上面アンテナ部２と下面アンテナ部３との間に誘電体１を挟むことにより、それら２つのアンテナ部２，３から放射される電波に伝播位相差を与えて電波放射効果を高めるとともに、側面アンテナ部４からも電波が放射されるようにすることで、少なくとも２方向（２軸）に電界成分をもつ電波が放射され金属体に実装できるようにする。【選択図】図３
2005191705.tif 000002
【特許請求の範囲】
【請求項１】
互いに平行または非平行な上面と下面、及び、側面を有する誘電体と、前記誘電体に形成された上面アンテナ部、下面アンテナ部及び側部アンテナ部と、タグＩＣとを備え、少なくとも前記上面アンテナ部、下面アンテナ部及び側部アンテナ部によって１つのタグアンテナが形成されているとともに、前記タグアンテナを形成する複数のアンテナ部のいずれか１つのアンテナ部に前記タグＩＣが実装されていることを特徴とする無線タグ。
【請求項２】
鋭角または鈍角を作るように形成された互いに隣り合う２面を有する誘電体と、その誘電体の前記２面にそれぞれ形成されたアンテナ部と、タグＩＣとを備え、少なくとも前記２面に形成された２つのアンテナ部によって１つのタグアンテナが形成されているとともに、前記タグアンテナを形成する複数のアンテナ部のいずれか１つのアンテナ部に前記タグＩＣが実装されていることを特徴とする無線タグ。
【請求項３】
前記誘電体上に形成したタグアンテナの全導体長が、前記タグＩＣを含んで通信周波数の等価電気長の略１波長以下であることを特徴とする請求項１または２記載の無線タグ。
【請求項４】
前記誘電体の上面の上面アンテナ部を下面に投影した投影領域と、当該下面の下面アンテナ部の形成領域とが相互にずれていることを特徴とする請求項１または３記載の無線タグ。
【請求項５】
前記誘電体の２面のうちの一方の面のアンテナ部を他方の面に投影した投影領域と、当該他方の面のアンテナ部の形成領域とが相互にずれていることを特徴とする請求項２または３記載の無線タグ。
【請求項６】
前記誘電体の上面の上面アンテナ部を下面に投影した投影形状と、当該下面の下面アンテナ部の形状とが異なる形状であることを特徴とする請求項１または３記載の無線タグ。
【請求項７】
前記誘電体の２面のうちの一方の面のアンテナ部を他方の面に投影した投影形状と、当該他方の面のアンテナ部の形状とが異なる形状であることを特徴とする請求項２または３記載の無線タグ。
【請求項８】
前記タグアンテナを形成する複数のアンテナ部の少なくとも１つのアンテナ部を除いた残りのアンテナ部の導体長が前記タグＩＣを含んで通信周波数の等価電気長の略半波長以下であることを特徴とする請求項１〜７のいずれかに記載の無線タグ。
【請求項９】
前記タグアンテナを形成する複数のアンテナ部の少なくとも１つのアンテナ部が直角に折れ曲る形状に形成されていることを特徴とする請求項１〜８のいずれかに記載の無線タグ。
【請求項１０】
前記タグアンテナに前記タグＩＣの整合回路が形成されていることを特徴とする請求項１〜９のいずれかに記載の無線タグ。
【請求項１１】
複数のアンテナ部の少なくとも１つのアンテナ部の周縁部に切り込みまたは凸部が設けられていることを請求項１〜１０のいずれかに記載の無線タグ。
【請求項１２】
請求項１〜１１のいずれかに記載の無線タグと、前記無線タグに質問信号を送出して当該無線タグからの応答信号を受信するリーダとを備えていることを特徴とするＲＦＩＤシステム。
【発明の詳細な説明】
【技術分野】
【０００１】
本発明は、例えばＲＦＩＤ（Ｒａｄｉｏ  Ｆｒｅｑｕｅｎｃｙ  Ｉｄｅｎｔｉｆｉｃａｔｉｏｎ）システムなどに用いられる無線タグ及びそれを備えたＲＦＩＤシステム
に関する。
【背景技術】
【０００２】
ＲＦＩＤシステムは、通常、書き込み・読み出し機能を持つリーダと無線タグから構成される。従来、特にマイクロ波領域では、無線タグとして、バッテリを内蔵したタグがＦＡ分野等でよく利用されている。また、最近では、半導体の進展により、リーダからの送信電波を検波し、それを駆動電力としてタグ動作を行わせるバッテリレスタグが登場し、ＦＡのほか、物流・流通・商品の履歴管理等の分野で大きな活用・展開が予定されている（例えば、特許文献１参照。）。
【０００３】
ＲＦＩＤシステムは、例えば図２０に示すように、情報データの書き込み機能も有するリーダＲＷ、リーダアンテナＲＡ、無線タグＴとから構成されており、リーダＲＷは電波信号を送出し、このリーダＲＷからの送出電波信号を無線タグＴが受け、タグ内のメモリに蓄積された情報で、入力信号に反射変調を与えてリーダＲＷに返送する。そして、無線タグＴから返送された信号をリーダＲＷにて復調してタグ情報を取り出すようになっている。
【０００４】
ＲＦＩＤシステムに利用される無線タグの代表的な例を図２１（Ａ）、（Ｂ）に示す。
【０００５】
図２１に示す無線タグＴ２０は、誘電体基板２０２の上に、信号を電波として送受信するダイポールアンテナ２０１を形成するとともに、タグ処理機能をもつタグＩＣ５を組み込んで一体化したものである。このような無線タグＴ２０の誘電体基板２０２にはポリプロピレンやポリイミド等の薄い誘電体基板、あるいは、ある程度の厚みを有するガラスエポキシ基板等が用いられる。なお、図２１の破線はダイポールアンテナ２０１から放射される電波の電界成分Ｅの方向を示している。
【０００６】
無線タグにダイポールアンテナを適用する場合、サイドローブの問題を考慮すれば、アンテナ長さは１波長程度以下に設定される。その中でも、アンテナ長さを通信周波数の等価波長λｇの半波長（λｇ／２）程度に設定するのが一般的である。等価波長λｇは、アンテナが実装された誘電体基板の誘電率（ε）の効果を受け自由空間波長より短くなり、誘電体基板の厚さにもよるが、通常１／√ε程度に波長は短縮される。
【０００７】
ダイポールアンテナの特徴は、アンテナの長さ方向をアンテナ軸として、その周囲３６０度にわたって信号の放射特性を有することであり、従って、リーダアンテナとの通信がアンテナ軸の周囲方向からアクセスできるため、周囲方向から通信を行うような用途においては有効な無線タグを構成することができる。
【０００８】
ところで、無線タグを使用する際に、無線タグを取り付けた物品のタグ方向を意識することなく物品を設置する場合、無線タグとの通信があらゆる方向から行えることができれば、無線タグの読み取りの操作性が非常に容易となる。しかしながら、ダイポールアンテナは、軸方向に対しては感度を持たないため、無線タグの全方向から通信を行うような用途においては問題がある。
【特許文献１】２００３−２４９８２０号公報
【発明の開示】
【発明が解決しようとする課題】
【０００９】
前述したように、従来では簡単に作製できる無線タグとして、半波長ダイポールアンテナにタグＩＣを実装する方式がよく利用されている。しかしながら、半波長ダイポールアンテナを有する無線タグは、その電波指向特性が、アンテナ軸に対して全周囲方向に放射されるが、軸方向に対しては放射感度がない。そのため、物品に実装された無線タグと通信を行う場合に、通信感度のある方向から通信を行う必要があり、無線タグの利用形態が制約される。
【００１０】
また、従来の無線タグは、誘電体薄膜面を金属物体等に貼り付けて利用することはできない。すなわち、無線タグを金属物体に貼り付けた場合、金属表面上でそれと平行な電界成分は存在することができないから、平行電界成分を打ち消す仮想電界が発生し、無線タグからの電波放射は生じなくなって通信が不可となる。さらに、略半波長程度の長さが必要であるため、時計や貴金属等の小物物品や、無線タグを実装する物体のスペースが小さい場合には適さない。このようなことから、従来の無線タグでは利用範囲が制約されるという問題がある。
【００１１】
本発明はそのような実情に鑑みてなされたもので、非金属物体及び金属物体のいずれに装着しても通信が可能で利用範囲が広く、しかも通信の自由度が高くて通信の操作性が良好な小型の無線タグを提供すること、及び、そのような特徴を有する無線タグを備えたＲＦＩＤシステムの提供を目的とする。
【課題を解決するための手段】
【００１２】
本発明の無線タグは、互いに平行または非平行な上面と下面、及び、側面を有する誘電体と、前記誘電体に形成された上面アンテナ部、下面アンテナ部及び側部アンテナ部（例えば側面アンテナ部または誘電体を貫通する棒状の側部アンテナ部）と、タグＩＣとを備え、少なくとも前記上面アンテナ部、下面アンテナ部及び側部アンテナ部によって１つのタグアンテナが形成されているとともに、前記タグアンテナを形成する複数のアンテナ部のいずれか１つのアンテナ部に前記タグＩＣが実装されていることを特徴としている。
【００１３】
この発明の無線タグにおいて、前記誘電体上に形成したタグアンテナの全導体長が、タグＩＣを含んで通信周波数の等価電気長の略１波長以下（略１波長も含む）であることが好ましい。また、タグＩＣはタグアンテナ端から全等価電気長の略１／４〜１／２波長付近に設置することが好ましい。
【００１４】
この発明の無線タグによれば、タグアンテナを少なくとも上面アンテナ部、下面アンテナ部及び側部アンテナ部によって構成して、タグアンテナを立体的に折り曲げたパターンとしているので、通常のダイポールアンテナ型の無線タグに比べて小型化を達成できる。
【００１５】
また、上面アンテナ部と下面アンテナ部との間に挟まれた誘電体の誘電率による電波信号の波長短縮効果を利用し、前記誘電体の上面及び下面より放射される電波の伝搬位相差をより大きくしているので、上面アンテナ部と下面アンテナ部から逆向きの電界成分で放射された信号波は相殺効果が弱くなる結果、誘電体の上面側と下面側への電波放射効果を高めることができる。特に、上面アンテナ部と下面アンテナ部との間隔を等価波長（λｇ）のλｇ／４とすれば、上面アンテナ部と下面アンテナ部からの放射は同相となり、電界成分が加算されて放射効果は最大となる。しかも、側部アンテナ部からも電波が放射されることから、互いに直交する少なくとも２方向（２軸）に電界成分をもつ電波が放射され、異なる２方向からリーダとの通信が可能になる。さらに、誘電体の波長短縮効果の利用によりタグ全体の小型化を達成できる。
【００１６】
この発明の無線タグにおいて、前記誘電体の上面の上面アンテナ部を下面に投影（垂直投影）した投影領域と、当該下面の下面アンテナ部の形成領域とが相互にずれるように各アンテナ部を配置するか、あるいは、前記誘電体の上面の上面アンテナ部を下面に投影（垂直投影）した投影形状と、当該下面の下面アンテナ部の形状とが異なる形状とすると、上面アンテナ部と下面アンテナ部の上下方向への電波放射と直交した横方向に、同じ電界方向を有する電波が放射される。これにより、リーダによる無線タグとの通信は、横方向からも可能となる結果、通信の操作性が向上する。
【００１７】
この発明の無線タグにおいて、前記タグアンテナを形成する複数のアンテナ部つまり上面アンテナ部、下面アンテナ部及び側部アンテナ部等の少なくとも１つのアンテナ部を直角に折れ曲る形状（例えばＬ型パターン）に形成しておくと、側部アンテナ部からの電波放射を含めて、互いに直交する３方向（３軸）に対して電波放射特性をもつようになり、リーダによる通信が異なる３方向から可能となり、操作性が更に向上する。
【００１８】
この発明の無線タグにおいて、前記タグアンテナを形成する複数のアンテナ部つまり上面アンテナ部、下面アンテナ部及び側部アンテナ部等の少なくとも１つのアンテナ部を除いた残りのアンテナ部の導体長を、前記タグＩＣを含んで通信周波数の等価電気長の略半波長以下（略半波長も含む）とすると、上面アンテナ部または下面アンテナ部を金属物体に貼り付けた際に、金属物体側にイメージアンテナが形成されて通信が可能となるので、無線タグを金属物体上に実装することが可能になる。すなわち、実装物体に依存しない無線タグを実現でき、利用範囲を大幅に拡大することができる。
【００１９】
この発明の無線タグにおいて、前記タグアンテナに前記タグＩＣの整合回路を形成しておけば、タグアンテナとタグＩＣとのインピーダンスの整合が容易になり、タグＩＣの性能を有効に発揮させることができる。なお、整合回路の具体的な構成としては、タグアンテナの導体幅を部分的に細くする等によってリアクタンス成分を形成し、タグＩＣのインピーダンス整合回路を形成するという構成を挙げることができる。
【００２０】
この発明の無線タグにおいて、タグアンテナを構成する複数のアンテナ部つまり上面アンテナ部、下面アンテナ部及び側部アンテナ部等の少なくとも１つのアンテナ部の周縁部に切り込みまたは凸部を設けて、アンテナ面を流れる電流の経路を長くしておくと、無線タグの小型化を図ることができる。
【００２１】
本発明の無線タグは、鋭角または鈍角を作るように形成された互いに隣り合う２面を有する誘電体と、その誘電体の前記２面にそれぞれ形成されたアンテナ部と、タグＩＣとを備え、少なくとも前記２面に形成された２つのアンテナ部によって１つのタグアンテナが形成されているとともに、前記タグアンテナを形成する複数のアンテナ部のいずれか１つのアンテナ部に前記タグＩＣが実装されていることを特徴としている。
【００２２】
この発明の無線タグにおいて、前記誘電体上に形成したタグアンテナの全導体長が、タグＩＣを含んで通信周波数の等価電気長の略１波長以下（略１波長も含む）であることが好ましい。また、タグＩＣはタグアンテナ端から全等価電気長の略１／４〜１／２波長付近に設置することが好ましい。
【００２３】
この発明の無線タグによれば、少なくとも誘電体の２面に形成した２つのアンテナ部によってタグアンテナを構成して、タグアンテナを立体的に折り曲げたパターンとしているので、通常のダイポールアンテナ型の無線タグに比べて小型化を達成できる。また、誘電体の２面に形成した２つのアンテナ部は、その一方のアンテナ部に対して他方のアンテナ部が傾斜した配置となるので、少なくとも異なる２方向（２軸）に電界成分をもつ電波が放射され、異なる２方向からリーダとの通信が可能になる。
【００２４】
この発明の無線タグにおいて、前記誘電体の２面のうちの一方の面のアンテナ部を他方の面に投影（垂直投影）した投影領域と、当該他方の面のアンテナ部の形成領域とが相互にずれるように各アンテナ部を配置するか、あるいは、前記誘電体の２面のうちの一方の面のアンテナ部を他方の面に投影（垂直投影）した投影形状と、当該他方の面のアンテナ部の形状とが異なる形状にすると、２つのアンテナ部の電波放射方向とは異なる方向に電波が放射されるので、通信の操作性が向上する。
【００２５】
この発明の無線タグにおいて、前記タグアンテナを形成する複数のアンテナ部つまり誘電体の２面に形成されたアンテナ部等の少なくとも１つのアンテナ部を除いた残りのアンテナ部の導体長が前記タグＩＣを含んで通信周波数の等価電気長の略半波長以下（略半波長も含む）とすると、誘電体の２面に形成されたアンテナ部のいずれか一方を金属物体に貼り付けた際に、金属物体側にイメージアンテナが形成されて通信が可能となるので、無線タグを金属物体上に実装することが可能になる。すなわち、実装物体に依存しない無線タグを実現でき、利用範囲を大幅に拡大することができる。
【００２６】
この発明の無線タグにおいて、前記タグアンテナを形成する複数のアンテナ部つまり２つのアンテナ部等の少なくとも１つのアンテナ部を直角に折れ曲る形状（例えばＬ型パターン）に形成しておくと、側部アンテナ部からの電波放射を含めて、互いに異なる３方向（３軸）に対して電波放射特性をもつようになり、リーダによる通信が異なる３方向から可能となり、通信の操作性が更に向上する。
【００２７】
この発明の無線タグにおいて、前記タグアンテナに前記タグＩＣの整合回路を形成しておけば、タグアンテナとタグＩＣとのインピーダンスの整合が容易になり、タグＩＣの性能を有効に発揮させることができる。なお、整合回路の具体的な構成としては、タグアンテナの導体幅を部分的に細くする等によってリアクタンス成分を形成し、タグＩＣのインピーダンス整合回路を形成するという構成を挙げることができる。
【００２８】
この発明の無線タグにおいて、タグアンテナを形成する複数のアンテナ部つまり２つのアンテナ部等の少なくとも１つのアンテナ部の周縁部に切り込みまたは凸部を設けて、アンテナ面を流れる電流の経路を長くしておくと、無線タグの小型化を図ることができる。
【００２９】
本発明のＲＦＩＤシステムは、前記した特徴を有する無線タグと、前記無線タグに質問信号を送出して当該無線タグからの応答信号を受信するリーダによって構成されていることを特徴としている。
【発明の効果】
【００３０】
本発明の無線タグによれば、タグアンテナを異なる面に形成した複数のアンテナ部によって構成して、タグアンテナを立体的に折り曲げたパターンとしているので、通常のダイポールアンテナ型の無線タグに比べて小型化を達成できる。
【００３１】
また、本発明の無線タグにおいては、複数のアンテナ部の少なくとも１つのアンテナ部を除いた残りのアンテナ部の導体長を、タグＩＣを含んで通信周波数の等価電気長の略半波長以下とすることで、無線タグを金属物体上に実装することが可能となる結果、実装物体に依存しない無線タグを実現でき、利用範囲を大幅に拡大することができる。さらに、少なくとも２方向（２軸）もしくは３方向（３軸）に直交した電界成分をもつ電波を放射することが可能となるので、リーダによる通信が異なる２方向もしくは３方向から可能となり、通信の操作性が向上する。
【００３２】
そして、以上のような特徴を有する無線タグを使用することにより、ＦＡ・物流・流通・商品の履歴管理などの各種分野において、通信の信頼性が高くて通信の操作性に優れたＲＦＩＤシステムを簡単に構築することが可能になる。
【発明を実施するための最良の形態】
【００３３】
以下、本発明の実施形態を図面に基づいて説明する。
【００３４】
＜実施形態１＞
図１は本発明の無線タグの一例を示す平面図（Ａ）及び中央縦断面図（Ｂ）を併記して示す図である。図２（Ａ）及び（Ｂ）はそれぞれ図１の無線タグを上面側及び下面側から見た斜視図である。
【００３５】
この例の無線タグＴ０は、直方体形状（または薄い基板状）の誘電体１と、その誘電体１の上面１ａ、下面１ｂ及び側面１ｃにそれぞれ形成された上面アンテナ部２、下面アンテナ部３及び側面アンテナ部４と、タグＩＣ５とを備えている。
【００３６】
上面アンテナ部２と下面アンテナ部３とは側面アンテナ部４によって電気的に接続されており、これら上面アンテナ部２、下面アンテナ部３及び側面アンテナ部４によって１つのタグアンテナＡＮが形成されている。また、タグＩＣ５は、上面アンテナ２上に実装されており、上面アンテナ部２の導体端に形成された電極端子部２ａに電気的に接続されている。また、図２の斜視図に示すように、下面アンテナ部３は、誘電体１の下面１ｂの全体に形成されており、誘電体１の上面１ａの一部分に形成された上面アンテナ部２とは、長さ及び幅が異なっている。
【００３７】
そして、この例の無線タグＴ０においては、タグアンテナＡＮを上面アンテナ部２、下面アンテナ部３及び側面アンテナ部４によって構成して、タグアンテナＡＮを立体的に折り曲げたパターンとしており、さらに、上面アンテナ部２、タグＩＣ５、側面アンテナ部４及び下面アンテナ部３を含めた長さを、通信周波数の等価電気長（λｇ）の略λｇ／２（λｇは誘電体の誘電率効果を含めた等価波長）に設定している。従って、無線タグＴ０の長さが略λｇ／４となっており、通常のダイポールアンテナ型の無線タグに比べて約１／２に小型化されている。
【００３８】
なお、上面アンテナ部２とタグＩＣ５、側面アンテナ部４及び下面アンテナ部３を含めた長さは、通常のダイポールアンテナと同様に、通信周波数の等価電気長の略１波長以下（略１波長を含む）であってもよい。
【００３９】
次に、この無線タグＴ０の動作を図３を参照しながら説明する。
【００４０】
まず、リーダＲＷ（図２０参照）より送出された電波信号が、この例の無線タグＴ０のタグアンテナＡＮで受信され、タグＩＣ５で反射変調されタグＩＣ５から送出される場合を想定すると、タグＩＣ５からの信号波は折り返された略λｇ／２アンテナで共振してタグアンテナＡＮを励振する。
【００４１】
ここで、図３において、タグＩＣ５の励振により折り返されたタグアンテナＡＮを流れる電流を破線Ｉで示している。タグアンテナＡＮを流れる電流Iは、上面アンテナ部２と下面アンテナ部３とで逆向きに流れる。その結果、電流Ｉにより誘起され放射される電波の電界方向は互いに逆向きとなる。すなわち、上面アンテナ部２と下面アンテナ部３とから放射される信号波の電界成分は図３の一点鎖線Ｅａ、Ｅａ’に示すようになる。また、側面アンテナ部４から放射される信号波の電界成分は一点鎖線Ｅｃで示すようになる。なお、側面アンテナ部４による電界成分Ｅｃの逆方向成分はない。
【００４２】
次に、この無線タグＴ０において、紙面の左右方向と上下方向のタグ全体の電波放射を説明する。
【００４３】
まず、前記したように、上面アンテナ部２と下面アンテナ部３とから放射される逆電界成分Ｅａ及びＥａ’の信号波は、それぞれ、図３の紙面の左右方向と紙面の前後方向に放射され、無線タグＴ０の全体から放射される信号波はそれらの合成波となる。しかし、上面アンテナ部２と下面アンテナ部３から放射される信号波の電界成分は互いに逆向きとなるため、左右方向・前後方向の信号波の電界成分は打ち消す方向に作用する。
【００４４】
ところで、上面アンテナ部２と下面アンテナ部３から誘電体１の内部方向に伝搬する信号波は、誘電体１の比誘電率εの波長圧縮効果を受けるので、誘電体１内の伝搬に伴って等価電気長λｇεに相当する位相回転が生じる。このような波長圧縮効果は誘電率が大きいほど高く、概して誘電体１の比誘電率εの√ε分の１程度に短縮される。
【００４５】
その結果、上面アンテナ部２と下面アンテナ部３から放射された信号波の相殺効果は薄れ、合成波が無線タグＴ０から図３の紙面の左右方向へ放射されることとなる。さらに、等価電気長λｇεによる位相回転がπに相当すれば、上面アンテナ部２と下面アンテナ部３から放射される信号波は同相となり、電界成分が加算されて放射効果は最大となる。
【００４６】
なお、電界成分Ｅａ及びＥａ’によって、図３の紙面の前後方向（直交方向）に放射する信号波は、やはり電界方向が逆向きであり打ち消す方向に働く。その結果、電界ＥａとＥａ’の合成波の差分だけが紙面の前後方向に放射される。
【００４７】
以上のように、上面アンテナ部２と下面アンテナ部３とを比較的厚い誘電体１を挟んで配置することにより、タグ全体を小型化しても信号波の放射効果を高めることができる。
【００４８】
また、誘電体１の基板程度の薄い厚さである場合でも放射効率を高めることができる。その手法として、図２の斜視図に示したように、上面アンテナ部２と下面アンテナ部３とを長さ・幅が異なるパターンとする方法が有効である。このような方法を採用すると、上面アンテナ部２から放射される信号波と、下面アンテナ部３から放射されるの信号波の強さとが異なるようになるので、電界方向の相反する放射信号の相殺効果を弱めることができる。また、側面アンテナ部４から放射される信号波は、前記したように図３の一点鎖線Ｅｃで示す電界成分を有し、図３の紙面の上下方向および前後方向に放射される。従って、この例の無線タグＴ０は、基本的に図３の左右方向及び上下方向に電波を放射することが可能となる。
【００４９】
なお、以上の例において、略λｇ／２長さを折り返した上面アンテナ部２及び下面アンテナ部３に関して、各アンテナ部２，３の電流はそのエッジ付近を流れることから、各アンテナ部２，３のアンテナ導体幅を太くすると、タグアンテナＡＮの全長を短くすることができ、無線タグＴ０を更に小型化することができる。
【００５０】
ここで、図１の例では、誘電体１の１つの側面１ｃに側面アンテナ部４を形成し、この側面アンテナ部４によって上面アンテナ部２と下面アンテナ部３とを接続しているが、本発明はこれに限られることなく、例えば図４（Ａ）及び（Ｂ）に示すように、誘電体１の厚さ方向を貫通する棒状の側部アンテナ部６を設け、この側部アンテナ部６にて上面アンテナ部２と下面アンテナ部３とを接続して、これら上面アンテナ部２、下面アンテナ部３及び側部アンテナ部６によって、無線タグＴ０１のタグアンテナＡＮ’を形成する構造としてもよい。この図４の無線タグＴ０１においても、側部アンテナ部６が前記した図１の例の側面アンテナ部４と同じ方向に電波を放射することができるので、少なくとも２方向（２軸）に電波を放射することができる。
【００５１】
なお、図４に示す無線タグＴ０１は、図１の例において側面アンテナ部４の構成に替えて、棒状の側部アンテナ部６を設けたこと以外は、図１の例と同じ構造である。
【００５２】
−ＲＦＩＤシステム−
図１に示す無線タグＴ０を用いて図２０に示すようなＲＦＩＤシステムを構築することができる。この場合、図２０のＲＦＩＤシステムにおいて、リーダＲＷから送られた無線タグＴ０のタグアンテナＡＮで捉えられ、タグＩＣ５に供給される。タグＩＣ５では、ＩＣ内のメモリ情報で、入力信号が反射変調され、再びタグアンテナＡＮからリーダＲＷ側に放射される、リーダＲＷ側に放射された信号は、リーダＲＷのリーダアンテナＲＡで受信され復調される。これにより、無線タグＴ０が動作してタグ内の情報がリーダＲＷで取り出される。
【００５３】
＜実施形態２＞
図５は本発明の無線タグの別の例を示す平面図である。図６は図５の無線タグを上面側から見た斜視図である。
【００５４】
この例の無線タグＴ１は、直方体形状（または薄い基板状）の誘電体１１と、その誘電体１１の上面１１ａ、下面１１ｂ及び側面１１ｃにそれぞれ形成された上面アンテナ部１２、下面アンテナ部１３及び側面アンテナ部１４と、タグＩＣ５とを備えている。
【００５５】
上面アンテナ部１２と下面アンテナ部１３とは側面アンテナ部１４によって電気的に接続されており、これら上面アンテナ部１２、下面アンテナ部１３及び側面アンテナ部１４によって１つのタグアンテナＡＮ１が形成されている。また、タグＩＣ５は、上面アンテナ部１２上に実装されており、上面アンテナ部１２の導体端に形成された電極端子部１２ａに電気的に接続されている。
【００５６】
そして、この例の無線タグＴ１では、タグアンテナＡＮ１を上面アンテナ部１２、下面アンテナ部１３及び側面アンテナ部１４によって構成して、タグアンテナＡＮ１を立体的に折り曲げたパターンとしており、さらに、上面アンテナ部１２、タグＩＣ５、側面アンテナ部１４及び下面アンテナ部１３を含めた長さを、通信周波数の等価電気長（λｇ）の略λｇ／２（λｇは誘電体の誘電率効果を含めた等価波長）に設定している。従って、無線タグＴ１の長さが略λｇ／４となっており、通常のダイポールアンテナ型の無線タグに比べて約１／２に小型化されている。
【００５７】
なお、上面アンテナ部１２とタグＩＣ５、側面アンテナ部１４及び下面アンテナ部１３を含めた長さは、通常のダイポールアンテナと同様に、通信周波数の等価電気長の略１波長以下（略１波長を含む）であってもよい。
【００５８】
さらに、この例の無線タグＴ１においては、図５の平面図に示すように、上面アンテナ部１２と下面アンテナ部１３の横方向（紙面横方向）に対して電波がより多く放射されるように、誘電体１１の上面１１ａの上面アンテナ部１２を誘電体１１の下面１１ｂに垂直に投影した投影領域と、下面１１ｂの下面アンテナ部１３の形成領域とを相互にずらしている点、及び、それら上面アンテナ部１２と下面アンテナ部１３とを接続する側面アンテナ部１４をクランク状（もしくはＬ型）に折れ曲るパターンとしている点に特徴がある。
【００５９】
次に、この例の無線タグＴ１の動作を図５を参照しながら説明する、
まず、リーダＲＷ（図２０参照）より送出された電波信号が、この例の無線タグＴ１のタグアンテナＡＮ１で受信され、タグＩＣ５で反射変調されタグＩＣ５から送出される場合を想定すると、タグＩＣ５からの信号波は折り返された略λｇ／２アンテナで共振してタグアンテナＡＮ１を励振する。
【００６０】
タグＩＣ５の励振により折り返されたタグアンテナＡＮ１を流れる電流Iは、上面アンテナ部１２と下面アンテナ部１３とで逆向きに流れる。その結果、上面アンテナ部１２と下面アンテナ部１３とからは、図５の一点鎖線で示すように、互いに逆向きの電界成分Ｅｂ、Ｅｂ’を有する信号波が放射され、無線タグＴ１の全体から放射される信号はそれらの合成波となるが、電界の方向が逆向きであるため打ち消しあうように作用する。
【００６１】
ところで、互いに逆電界のＥｂ及びＥｂ’を有する信号波がそれぞれ図５において紙面左右方向に放射するが、この例では、上面アンテナ部１２と下面アンテナ部１３との位置関係をずれらして配置しているので、誘電体１１の波長短縮の効果も受けて等価電気波長でλｇｗの位相差を生じる。従って、逆位相の信号波は互いにλｇｗの伝搬を伴った位相関係で合成され、無線タグＴ１より紙面の横方向に向かって放射されるので、上面アンテナ部１２と下面アンテナ部１３からの放射電波が同じでも合成波が消滅することはない。さらに、λｇｗによる位相差がπである場合、上面アンテナ部１２と下面アンテナ部１３とからの放射信号は互いに同相となり、電界成分が加算されて放射効果は最大となる。
【００６２】
また、この例では、図６に示すように、側面アンテナ部１４を直角に折れ曲るパターンとしているので、その側面アンテナ部１４を縦方向（図５の紙面と直交する方向）に流れる電流によって電界成分Ｅｃを有する信号波が放射され、さらに側面アンテナ部１４を横方向（図５の左右方向）に流れる電流によって電界成分Ｅｄを有する信号波が放射されるので、前記した上面アンテナ部１２と下面アンテナ部１３とから放射される信号波の放射方向と合わせて３方向（３軸）に電波を放射することができる。
【００６３】
ここで、図５の例では、側面アンテナ部１４を折れ曲りパターンとしているが、これに限られることなく、側面アンテナ部は上面アンテナ部１２と下面アンテナ部１３とを接続できるパターンであればよく、例えば図７に示すように、上面アンテナ部１２の導体端部から下面アンテナ部１３の導体端部に向けて斜め下方に傾斜する帯状パターンの側面アンテナ１４０であってもよい。
【００６４】
また、図５、図６の各例及び図７の例では、上面アンテナ部１２と下面アンテナ部１３とを側面アンテナ部１４，１４０にて接続しているが、これらアンテナ部１４，１４０に替えて、誘電体１１を貫通する棒状の側部アンテナ部（図４参照）にて上面アンテナ部１２と下面アンテナ部１３とを接続する構造としてもよい。
【００６５】
＜実施形態３＞
図８は本発明の無線タグの別の例を示す平面図である。図９は図８の無線タグを斜め上方から見た斜視図である。
【００６６】
この例の無線タグＴ２は、直方体形状（または薄い基板状）の誘電体２１と、その誘電体２１の上面２１ａ、下面２１ｂ及び側面２１ｃにそれぞれ形成された上面アンテナ部２２、下面アンテナ部２３及び側面アンテナ部２４と、タグＩＣ５とを備えている。
【００６７】
上面アンテナ部２２と下面アンテナ部２３とは側面アンテナ部２４によって電気的に接続されており、これら上面アンテナ部２２、下面アンテナ部２３及び側面アンテナ部２４によって１つのタグアンテナＡＮ２が形成されている。また、タグＩＣ５は、上面アンテナ２２上に実装されており、上面アンテナ部２２の導体端に形成された電極端子部２２ａに電気的に接続されている。なお、上面アンテナ部２２と下面アンテナ部２３とは、導体幅・長さが互いに異なっている。
【００６８】
そして、この例の無線タグＴ２では、タグアンテナＡＮ２を上面アンテナ部２２、下面アンテナ部２３及び側面アンテナ部２４によって構成して、タグアンテナＡＮ２を立体的に折り曲げたパターンとしており、さらに、上面アンテナ部２２をＬ型の折り曲げパターンとしている。また、そのＬ型パターンの上面アンテナ部２２、タグＩＣ５、側面アンテナ部２４び下面アンテナ部２３を含めた長さを、通信周波数の等価電気長（λｇ）の略λｇ／２（λｇは誘電体の誘電率効果を含めた等価波長）に設定している。従って、無線タグＴ２の長さが略λｇ／４となっており、通常のダイポールアンテナ型の無線タグに比べて約１／２に小型化されている。
【００６９】
なお、上面アンテナ部２２とタグＩＣ５、側面アンテナ部２４及び下面アンテナ部２３を含めた長さは、通常のダイポールアンテナと同様に、通信周波数の等価電気長の略１波長以下（略１波長を含む）であってもよい。
【００７０】
次に、この例の無線タグＴ２の動作を図８を参照しながら説明する、
まず、上面アンテナ部２２と下面アンテナ部２３の長さ方向（図８の上下方向）及び側面アンテナ部２４に平行な電界成分（図８における紙面の前後方向）は、前記した図３及び図５の各例と同じであり、それらの例と同様の方向に電波が放射される。
【００７１】
すなわち、図８の一点鎖線で示すように、上面アンテナ部２２と下面アンテナ部２３から紙面と平行で紙面の上下方向の電界成分Ｅｂとなる信号波が紙面の横方向と前後方向に放射され、また、側面アンテナ部２４から紙面と垂直な方向Ｅｃとなる信号波が放射される。
【００７２】
一方、直角に折り曲げられたＬ型パターンの上面アンテナ部２２からは、上面アンテナ部２２に流れる電流により、図８の紙面上で横方向の電界Ｅｄを有する信号波が紙面上下とタグアンテナＡＮ２の上下面方向に放射される。従って、この例の無線タグＴ２では、互いに直交する３方向（３軸）の電界成分を持つ信号が全方向に対して放射される。
【００７３】
なお、図８の例においても、図５で説明した側面アンテナ部１４と同じ作用により、側面アンテナ部２４からも上記の電界Ｅｄと同じ方向の成分を有する信号が放射される。
【００７４】
ここで、図８の例では、上面アンテナ部２２と下面アンテナ部２３とを側面アンテナ部２４にて接続しているが、そのアンテナ部２４に替えて、誘電体２１を貫通する棒状の側部アンテナ部（図４参照）にて上面アンテナ部２２と下面アンテナ部２３とを接続する構造としてもよい。
【００７５】
＜実施形態４＞
図１０は本発明の無線タグの別の例を斜め上方から見た斜視図である。
【００７６】
この例の無線タグＴ３は、直方体形状（または薄い基板状）の誘電体３１と、その誘電体３１の上面３１ａ、下面３１ｂ及び側面３１ｃにそれぞれ形成された上面アンテナ部３２、下面アンテナ部３３及び側面アンテナ部３４と、タグＩＣ５とを備えている。
【００７７】
上面アンテナ部３２と下面アンテナ部３３とは側面アンテナ部３４によって電気的に接続されており、これら上面アンテナ部３２、下面アンテナ部３３及び側面アンテナ部３４によって１つのタグアンテナＡＮ３が形成されている。また、タグＩＣ５は、上面アンテナ３２上に実装されており、上面アンテナ部３２の導体端に形成された電極端子部３２ａに電気的に接続されている。なお、上面アンテナ部３２と下面アンテナ部３３とは、導体幅・長さが互いに異なっている。
【００７８】
そして、この例の無線タグＴ３では、タグアンテナＡＮ３を上面アンテナ部３２、下面アンテナ部３３及び側面アンテナ部３４によって構成して、タグアンテナＡＮ３を立体的に折り曲げたパターンとしており、さらに、上面アンテナ部３２を斜め方向に帯状に傾斜するパターンとして上面アンテナ部３２を下面アンテナ部３３と異なる形状（投影形状が異なる形状）とした点に特徴がある。
【００７９】
なお、この例においても、上面アンテナ部３２、タグＩＣ５、側面アンテナ部３４及び下面アンテナ部３３を含めた長さを、通信周波数の等価電気長（λｇ）の略λｇ／２（λｇは誘電体の誘電率効果を含めた等価波長）に設定しており、通常のダイポールアンテナ型の無線タグに比べて約１／２に小型化されている。
【００８０】
この例の無線タグＴ３によれば、図１０に示すように、上面アンテナ部３２を流れる電流により電界Ｅｅを持つ信号波が放射される。この電界成分は、ベクトル分解して図８の一点鎖線で示すように、図８の例で示したものと同様な横方向電界成分Ｅｄを有する。さらに、他の方向への放射についても、図８の例と同じ効果により同様な放射が生じる。従って、この例の無線タグＴ３においても、３方向（３軸）の電界成分を持つ信号がタグアンテナＡＮ３から全方向に対して放射される。
【００８１】
なお、この例において、上面アンテナ部３２とタグＩＣ５、側面アンテナ部３４及び下面アンテナ部３３を含めた長さは、通常のダイポールアンテナと同様に、通信周波数の等価電気長の略１波長以下（略１波長を含む）とすることが好ましい。
【００８２】
また、この例では、上面アンテナ部３２と下面アンテナ部３３とを側面アンテナ部３４にて接続しているが、そのアンテナ部３４に替えて、誘電体３１を貫通する棒状の側部アンテナ部（図４参照）にて上面アンテナ部３２と下面アンテナ部３３とを接続する構造としてもよい。
【００８３】
＜実施形態５＞
図１１は本発明の無線タグの別の例を示す縦断面図である。
【００８４】
この例の無線タグＴ４は、上面４１ａが下面４１ｂに対して傾斜する断面台形状の誘電体４１と、その誘電体４１の上面４１ａと下面４１ｂ及び２つの側面４１ｃ、４１ｄに、それぞれ形成された上面アンテナ部４２、下面アンテナ部４３及び２つの側面アンテナ部４４，４６と、タグＩＣ５とを備えている。
【００８５】
上面アンテナ部４２と下面アンテナ部４３とは側面アンテナ部４４によって電気的に接続されており、これら上面アンテナ部４２、下面アンテナ部４３及び２つの側面アンテナ部４４，４６によって１つのタグアンテナＡＮ４が形成されている。また、タグＩＣ５は側面アンテナ４４上に実装されており、側面アンテナ部４４の導体端に形成された電極端子部４４ａに電気的に接続されている。
【００８６】
この例の無線タグＴ４によれば、下面アンテナ部４３に対して上面アンテナ部４２が傾斜して配置されているので、タグアンテナＡＮ４に電流Ｉが生じると、上面アンテナ部４２に平行な電界Ｅｅと、下面アンテナ部４３に平行な電界Ｅａ’が誘起され放射される。
【００８７】
ここで、上面アンテナ部４２による放射電界成分Ｅｅは、電界Ｅａ’と平行な電界ＥａとＥｃ’とにベクトル分解できるので、前記した側面方向の電界成分Ｅｃ（図３、図５等参照）と同方向の電界Ｅｃ’が発生する。従って、この例の無線タグＴ４では、少なくとも２方向（２軸）に電波を放射することができる。
【００８８】
なお、この例において、上面アンテナ部４２、下面アンテナ部４３及び側部アンテナ部４４の少なくとも１つのアンテナ部を直角に折れ曲るＬ型パターンとしておけば、互いに異なる３方向（３軸）に対して電波放射特性をもつようになり、リーダによる通信が異なる３方向から可能となる。
【００８９】
また、この例では、上面アンテナ部４２と下面アンテナ部４３とを側面アンテナ部４４にて接続しているが、そのアンテナ部４４に替えて、誘電体４１を貫通する棒状の側部アンテナ部（図４参照）にて上面アンテナ部４２と下面アンテナ部４３とを接続する構造としてもよい。
【００９０】
＜実施形態６＞
図１２は本発明の無線タグの別の例を斜め上方から見た斜視図である。
【００９１】
この例の無線タグＴ５は、上面５１ａが下面５１ｂに対して２方向に傾いた構造の誘電体５１と、その誘電体５１の上面５１ａと下面５１ｂ及側面５１ｃにそれぞれ形成された上面アンテナ部５２、下面アンテナ部５３及び側面アンテナ部５４と、タグＩＣ５とを備えている。
【００９２】
上面アンテナ部５２と下面アンテナ部５３とは側面アンテナ部５４によって電気的に接続されており、これら上面アンテナ部５２、下面アンテナ部５３及び側面アンテナ部５４によって１つのタグアンテナＡＮ５が形成されている。また、タグＩＣ５は上面アンテナ５２上に実装されている。
【００９３】
この例の無線タグＴ５によれば、下面アンテナ部５３に対して上面アンテナ部５２が２方向に傾いた状態で配置されているので、上面と下面の電波放射軸ないしは放射面は異なった方向を指向するため、タグアンテナＡＮ５の指向特性は異なった方向を指向する。
【００９４】
なお、この例において、上面アンテナ部５２、下面アンテナ部５３及び側部アンテナ部５４の少なくとも１つのアンテナ部を直角に折れ曲るＬ型パターンとしておけば、互いに異なる３方向（３軸）に対して電波放射特性をもつようになり、リーダによる通信が異なる３方向から可能となる。
【００９５】
また、この例では、上面アンテナ部５２と下面アンテナ部５３とを側面アンテナ部５４にて接続しているが、そのアンテナ部５４に替えて、誘電体５１を貫通する棒状の側部アンテナ部（図４参照）にて上面アンテナ部５２と下面アンテナ部５３とを接続する構造としてもよい。
【００９６】
さらに、この例において、誘電体５１の上面５１ａの上面アンテナ部５２を下面５１ｂに垂直に投影した投影領域と、下面５１の下面アンテナ部５３の形成領域とが相互にずれるように各アンテナ部５２、５３を配置するか、あるいは、誘電体５１の上面５１ａの上面アンテナ部５２を下面５１ｂに垂直に投影した投影形状と、下面５１ｂの下面アンテナ部５３の形状とが異なる形状としておいてもよい。
【００９７】
＜実施形態７＞
図１３は本発明の無線タグの別の例の構成を示す縦断面図である。
【００９８】
この例の無線タグＴ６は、鋭角をなして互いに隣り合う２面６１ａ，６１ｂを有する断面直角三角形（くさび形）の誘電体６１と、その２面６１ａ，６１ｂのそれぞれに形成されているとともに、互いに電気的に導通する２つのアンテナ部６２，６３と、タグＩＣ５とを備えており、それら２つのアンテナ部６２，６３によって１つのタグアンテナＡＮ６が形成されている。また、誘電体６１の２面６１ａ，６１ｂに形成されたアンテナ部６２，６３の一方のアンテナ部６２にＩＣタグ５が実装されている。
【００９９】
この例の無線タグＴ６によれば、見かけ上、側面アンテナ部は有しないが、一方のアンテナ部６２（上面側）が他方のアンテナ部６３（下面側）に対して傾斜して配置されているので、傾斜配置の一方のアンテナ部６２からから斜め放射される電界成分より、前記した図１１の例と同様の電界成分が発生し、タグアンテナＡＮ６の指向特性は異なった方向を指向する。
【０１００】
ここで、図１３の例において、誘電体６１の２面６１ａ，６１ｂのうちの一方の面６１ａのアンテナ部６２を他方の面６１ｂに垂直に投影した投影領域と、他方の面６１ｂのアンテナ部６３の形成領域とが相互にずれるように各アンテナ部６２，６３を配置するか、あるいは、誘電体６１の２面６１ａ，６１ｂのうちの一方の面６１ａのアンテナ部６２を他方の面６１ｂに垂直に投影した投影形状と、他方の面６１ｂのアンテナ部６３の形状とが異なる形状にしておいてもよい。
【０１０１】
また、図１３の例において、２つのアンテナ部６２，６３の少なくとも１つのアンテナ部を直角に折れ曲るＬ型パターンとしておいてもよい。
【０１０２】
なお、図１３の例では、誘電体６１の２面をともに平面としているが、図１４に示すように、誘電体１６１の２面１６１ａ、１６１ｂの一方の面１６１ａを湾曲面（円曲面）とし、一方のアンテナ部１６２を湾曲したパターンとしてもよい。この場合、湾曲したパターンのアンテナ部１６２に沿って電流が流れるので、それより誘起される電界成分も多方向に向かって放射される。
【０１０３】
ここで、図１２及び図１３の各例では、誘電体の２面が作る角を鋭角としているが、これに限られることなく、誘電体の２面が作る角を鈍角としても本発明は実施可能である。
【０１０４】
＜実施形態８＞
図１５は本発明の無線タグの別の例を示す縦断面図である。図１６は図１５の無線タグを上方から見た斜視図である。
【０１０５】
この例の無線タグＴ７は、直方体形状（または薄い基板状）の誘電体７１と、その誘電体７１の上面７１ａ、下面７１ｂ及び側面７１ｃにそれぞれ形成された上面アンテナ部７２、下面アンテナ部７３及び側面アンテナ部７４と、タグＩＣ５とを備えている。
【０１０６】
上面アンテナ部７２と下面アンテナ部７３とは側面アンテナ部７４によって電気的に接続されており、これら上面アンテナ部７２、下面アンテナ部７３及び側面アンテナ部７４によって１つのタグアンテナＡＮ７が形成されている。また、タグＩＣ５は、側面アンテナ７４上に実装されており、側面アンテナ部７４の導体端に形成された電極端子部７４ａに電気的に接続されている。さらに、図１６の斜視図に示すように、下面アンテナ部７３は誘電体７１の下面全体に形成されており、誘電体７１の上面７１ａの一部分に形成された上面アンテナ部７２とは、長さ及び幅が異なっている。
【０１０７】
そして、この例の無線タグＴ７においては、タグアンテナＡＮ７を、上面アンテナ部７２、下面アンテナ部７３及び側面アンテナ部７４によって構成して、タグアンテナＡＮ７を立体的に折り曲げたパターンとしている。さらに、上面アンテナ部７２とタグＩＣ５を含んだ側面アンテナ部７４の長さを、通信周波数の等価電気長（λｇ）の略λｇ／４に設定しており、下面アンテナ部７３の長さを通信周波数の等価電気長（λｇ）の略λｇ／４に設定している。従って、無線タグＴ７の長さが略λｇ／４となっており、通常のダイポールアンテナ型の無線タグに比べて約１／２に小型化されている。
【０１０８】
なお、上面アンテナ部７２とタグＩＣ５を含んだ側面アンテナ部７４の長さと、下面アンテナ部７３の長さは、通信周波数の等価電気長の略１／２波長以下（略１／２波長を含む）であることが好ましい。
【０１０９】
次に、この例の無線タグＴ７動作を図１５及び図１７を参照しながら説明する。
まず、この例の無線タグＴ７が単独で存在する場合（図１５の状態）、図３にて説明した動作と放射特性を有する無線タグとして動作するので、その詳細な説明はここでは省略する。
【０１１０】
一方、この例の無線タグＴ７を、タグアンテナＡＮ７の放射部よりも大きな面積を有する金属体１００に貼り付けた場合を想定すると、図１７に示すように、下面アンテナ部７３は金属体表面１０１に接し、金属体表面１０１と高周波的に接続される。
【０１１１】
このとき、金属体表面１０１では、当該表面と平行な電界成分は存在できないから、上面アンテナ７２から放射される電界成分が金属体表面１０１で打ち消すような放射を伴うイメージアンテナ１０２が金属体表面１０１を介して実在のアンテナと反対側に設置されたものと等価になる。
【０１１２】
このイメージアンテナ１０２は、金属体表面（接地面）１０１に対して実在するアンテナと対称的に設けられたアンテナであり、上面アンテナ部７２とは逆向きの電流が流れ、それにより誘起された電界が図１７の紙面横方向に向かって放射される。従って、上面アンテナ部７２より外部へ放射される電波信号は、上面アンテナ部７２からの放射とイメージアンテナ１０２からの放射が合成されたものと見なせる。なお、図中矢印の一点鎖線と二点鎖線はそれぞれ上面アンテナ部７２とイメージアンテナ１０２から放射される電界成分の方向を示している。
【０１１３】
ここで、実在するアンテナとイメージアンテナの電界方向は逆向きであり、相殺する方向であるが、図１７において、イメージアンテナ１０２からの紙面上方への放射電界は、実在のアンテナとイメージアンテナ１０２との間の距離つまり電気長Ｈｇに相当する距離を進行するに従って位相回転を生じ、その合成波は位相差により有効な信号強度を発生させる。そして、誘電体７１の誘電率が誘電体内の信号伝搬波長を短縮化するため、より大きな位相回転を与え有効な電波放射に寄与することができる。特に、電気長Ｈｇ／２が信号の等価電気波長（λｇ）のλｇ／４である場合に、前記した合成波は同相となり最も強い電波放射が上方向に向かって生じる。なお、側面アンテナ部７４を流れる電流は逆方向成分がなく、側面アンテナ部７４を流れる電流により誘導された電界は側面と平行に放射される。
【０１１４】
以上のように、この例の無線タグＴ７は、タグ単体で本来の動作原理でタグ動作を行うとともに、金属体に貼り付けた時には、上記動作を示し金属物体にも利用できる大きな利点がある。
【０１１５】
なお、この例では、タグＩＣ５を側面アンテナ部７４に実装しているが、これに限られることなく、タグＩＣ５は上面アンテナ部７２に実装しておいてもよい。
【０１１６】
また、この例において、上面アンテナ部７２（もしくは側部アンテナ部７４）を直角に折れ曲るＬ型パターンとしておけば、互いに異なる３方向（３軸）に対して電波放射特性をもつようになり、リーダによる通信が異なる３方向から可能となる。
【０１１７】
さらに、この例において、誘電体７１の上面７１ａの上面アンテナ部７２を下面５１ｂに投影した投影領域と、下面７１ｂの下面アンテナ部７３の形成領域とが相互にずれるように各アンテナ部７２、７３を配置するか、あるいは、誘電体７１の上面７１ａの上面アンテナ部７２を下面７１ｂに垂直に投影した投影形状と、下面７１ｂの下面アンテナ部７３の形状とが異なる形状としておいてもよい。
【０１１８】
ここで、以上のような無線タグを金属体に貼り付ける場合の動作等に関しては、図１３の無線タグＴ６においても同様なことが言える。
【０１１９】
＜実施形態９＞
図１８及び図１９はそれぞれ本発明の無線タグの別の例を示す斜視図である。
【０１２０】
図１８に示す無線タグＴ８は、直方体形状（または薄い基板状）の誘電体８１に形成した上面アンテナ部８２、下面アンテナ部８３及び側面アンテナ部８４からなるタグアンテナＡＮ８と、タグＩＣ５とを備えており、その上面アンテナ部８２の導体幅を部分的に細くすることによってリアクタンス成分を形成してインピーダンスの整合回路８６を設けている点に特徴がある。このように、上面アンテナ部８２に細い導体でインダクタンス成分を形成することで、タグＩＣの強い容量性分を打ち消すことができる。なお、図１８のようなリアクタンス整合回路８６に替えて、集中定数リアクタンス部品を用いてもよい。
【０１２１】
図１９に示す無線タグＴ９は、直方体形状（または薄い基板状）の誘電体９１に形成した上面アンテナ部９２、下面アンテナ部９３及び側面アンテナ部９４からなるタグアンテナＡＮ９と、タグＩＣ５とを備えており、上面アンテナ部９２と下面アンテナ部９３に、その各アンテナ部９２，９３に流れる電流と直交する方向に沿って切り込み（スリット）９２ｓ，９３ｓを設けた点に特徴がある。このような切り込み９２ｓ，９３ｓを設けることにより電流経路が長くなり、リアクタンス成分が発生するので、その分だけ、上面アンテナ部９２と下面アンテナ部９３の各長さを短くすることができ、タグ全体の小型化を図ることができる。なお、切り込み９２ｓ，９３ｓに替えて、上面アンテナ部９２と下面アンテナ部９３の各周縁部に凸部を設けて、アンテナ長さを短くするようにしてもよい。
【産業上の利用可能性】
【０１２２】
本発明は、ＦＡ・物流・流通・商品の履歴管理などの各種分野において通信の信頼性・操作性が高くて利用範囲の広いＲＦＩＤシステムを構築する際に有効に利用できる。
【図面の簡単な説明】
【０１２３】
【図１】本発明の無線タグの一例を示す平面図（Ａ）及び中央縦断面図（Ｂ）を併記して示す図である。
【図２】図１の無線タグを上面側から見た斜視図（Ａ）及び下面側から見た斜視図（Ｂ）を併記して示す図である。
【図３】図１の無線タグの動作説明図である。
【図４】本発明の無線タグの他の例を上面側から見た斜視図（Ａ）及び下面側から見た斜視図（Ｂ）を併記して示す図である。
【図５】本発明の無線タグの別の例を示す平面図である。
【図６】図５の無線タグを上面側から見た斜視図である。
【図７】本発明の無線タグの別の例を斜め上方から見た斜視図である。
【図８】本発明の無線タグの別の例を示す平面図である。
【図９】図８の無線タグの斜め上方から見た斜視図である。
【図１０】本発明の無線タグの別の例を斜め上方から見た斜視図である。
【図１１】本発明の無線タグの別の例を示す縦断面図である。
【図１２】本発明の無線タグの別の例を斜め上方から見た斜視図である。
【図１３】本発明の無線タグの別の例を示す縦断面図である。
【図１４】本発明の無線タグの別の例を示す縦断面図である。
【図１５】本発明の無線タグの別の例を示す縦断面図である。
【図１６】図１５の無線タグの斜め上方から見た斜視図である。
【図１７】図１５の無線タグを金属体に貼り付けた際の動作説明図である。
【図１８】本発明の無線タグの別の例を斜め上方から見た斜視図である。
【図１９】本発明の無線タグの別の例を斜め上方から見た平面図である。
【図２０】ＲＦＩＤシステムの基本構成を示す図である。
【図２１】従来の無線タグの一例を示す平面図である。
【符号の説明】
【０１２４】
Ｔ０  無線タグ
ＡＮ  タグアンテナ
１  誘電体
１ａ  上面
１ｂ  下面
１ｃ  側面
２  上面アンテナ部
２Ａ  電極端子
３  下面アンテナ部
４  側面アンテナ部（側部アンテナ部）
５  タグＩＣ
６  棒状の側部アンテナ部
Ｔ１  無線タグ
ＡＮ１  タグアンテナ
１１  誘電体
１２  上面アンテナ部
１３  下面アンテナ部
１４  側面アンテナ部（クランク状またはＬ型パターン）
Ｔ２  無線タグ
ＡＮ２  タグアンテナ
２１  誘電体
２２  上面アンテナ部（Ｌ型パターン）
２３  下面アンテナ部
２４  側面アンテナ部
Ｔ３  無線タグ
ＡＮ３  タグアンテナ
３１  誘電体
３２  上面アンテナ部（傾斜帯状パターン）
３３  下面アンテナ部
３４  側面アンテナ部
Ｔ４  無線タグ
ＡＮ４  タグアンテナ
４１  誘電体（断面台形状）
４２  上面アンテナ部
４３  下面アンテナ部
４４  側面アンテナ部
Ｔ５  無線タグ
ＡＮ５  タグアンテナ
５１  誘電体
５２  上面アンテナ部
５３  下面アンテナ部
５４  側面アンテナ部
Ｔ６  無線タグ
ＡＮ６  タグアンテナ
６１  誘電体（断面直角三角形）
６１ａ，６１ｂ  ２面
６２，６３  アンテナ部
Ｔ７  無線タグ
ＡＮ７  タグアンテナ
７１  誘電体
７２  上面アンテナ部
７３  下面アンテナ部
７４  側面アンテナ部
８６  整合回路
９２ｓ、９３ｓ  切り込み
ＲＷ  リーダ
ＲＡ  リーダアンテナ
【図１】
2005191705.tif 000003
【図２】
2005191705.tif 000004
【図３】
2005191705.tif 000005
【図４】
2005191705.tif 000006
【図５】
2005191705.tif 000007
【図６】
2005191705.tif 000008
【図７】
2005191705.tif 000009
【図８】
2005191705.tif 000010
【図９】
2005191705.tif 000011
【図１０】
2005191705.tif 000012
【図１１】
2005191705.tif 000013
【図１２】
2005191705.tif 000014
【図１３】
2005191705.tif 000015
【図１４】
2005191705.tif 000016
【図１５】
2005191705.tif 000017
【図１６】
2005191705.tif 000018
【図１７】
2005191705.tif 000019
【図１８】
2005191705.tif 000020
【図１９】
2005191705.tif 000021
【図２０】
2005191705.tif 000022
【図２１】
2005191705.tif 000023